(57)【特許請求の範囲】
【請求項１】
同一の購入条件を複数レースにわたって指定した投票情報を有する投票券の払い戻し処理を行う投票券払戻機において、
前記投票情報を読み取る読み取り手段と、
提供された払い戻し情報を基に、該読み取った投票情報中の払い戻し処理が可能なレースのみ払い戻し処理を行う手段と、
払い戻し処理済レースを示す可視情報を前記投票券上のレース番号に関連付けて付与する手段と、
該可視情報が付与された投票券を発行する発行口と、
を有することを特徴とする投票券払戻機。
【請求項２】
前記可視情報を読み取る手段と、
当該可視情報が関連付けられたレースに対する払い戻し処理をキャンセルする手段と、
を備えたことを特徴とする請求項１記載の投票券払戻機。
【請求項３】
減算処理時に投票券が挿入される減算口を有する投票券発売機において、
同一の購入条件を複数レースにわたって指定した投票情報を有する投票券が挿入される前記減算口と、
該減算口から挿入された該投票券の投票情報を読み取る手段と、
提供された払い戻し情報を基に、該読み取った投票情報中の払い戻しが可能なレースのみ払い戻し処理を行う手段と、
該同一の購入条件を複数レースにわたって指定した投票情報を有する新規投票券を作成する手段と、
該新規投票券の作成時に該新規投票券上のレース番号に払い戻し処理済レースを示す可視情報を関連付けて印刷する手段と、
該可視情報が印刷された投票券を発行する発行口と、
を有することを特徴とする投票券発売機。
【請求項４】
前記可視情報を読み取る手段と、
当該可視情報が関連付けられたレースに対する払い戻し処理をキャンセルする手段と、
を備えたことを特徴とする請求項３記載の投票券発売機。
【請求項５】
減算処理時に投票券が挿入される減算口を有する投票券発売機において、
同一の購入条件を複数レースにわたって指定した投票情報を有する投票券が挿入される前記減算口と、
該減算口から挿入された該投票券の投票情報を読み取る手段と、
提供された払い戻し情報を基に、該読み取った投票情報中の払い戻しが可能なレース番号のみを有する投票券を発行すると共に、該読み取った投票情報中の払い戻しが不可なレース番号のみを有する投票券を発行する手段と、
を備えたことを特徴とする投票券発売機。
【発明の詳細な説明】
【０００１】
【発明の属する技術分野】
本発明は、競馬，競輪等の公営競技にて使用される投票券払戻機および投票券発売機に関するもので、特に同一の購入条件を複数レースにわたって指定した投票券を払い戻す投票券払戻機および投票券発売機に関するものである。
なお、以降は技術分野を競馬に関するものとするが、これに限ったものではなく、同一の購入条件を複数レースにわたって指定した投票券を用いているものであれば、競輪や競艇やオートレース等でも適用可能である。
【０００２】
現在、お客が購入を希望する投票情報を投票カードと呼ばれるマークカードに記入してそれを投票券発売機で読み取らせることでマルチ投票券の発行が行われている。そのほか流し投票と呼ばれる投票方式も実施されている。この流し投票とは単一レースに限って、一頭の軸となる馬を指定しその軸となる馬からその他の馬に均一購入金額で組み合わせる投票方式であり、お客が投票情報を投票カードに記入する際の記入簡略化を図った専用の投票カードが用いられている。
【０００３】
【従来の技術】
お客の購入方法として出目投票がある。これは１日のレースや過去のレースで的中番号の出現が偏る場合があり、数レース終了時点で偏りを確認したときに、それ以降のレースをその的中番号を利用して購入する方法である。この方法ではオッズ等を無視して購入するため、思わぬ高配当を得ることができる。
【０００４】
本出願人はこの出目投票による投票券を発行する投票券発売機として、平成８年１０月２５日をもって出願した（特願平０８−２８３８７９号）。この先願は、出目投票を行う際の専用の投票カードにより、何レースから何レースまでを出目情報にて指定し、それを投票券発売機に読み取らせることで投票券の発行が行われる。
【０００５】
出目投票による投票券の例を図１５にて示す。この例では１レースから８レースまでの各レースを１−２  １００円および８−８  ２００円の出目による購入条件で購入した場合を示している。また、購入金額についてはそれぞれ８レースあるので１００円×８と２００円×８となり、合計金額は２４００円となる。
特願平０８−２８３８７９号では払い戻し時の説明として、第１０頁の段落番号００４５に記載されているとおり、『なお、お客は、当たり馬券となった場合には、その投票券を現金払い戻し機に当該投票券を挿入し、内部の読取部は、磁気ストライプに記録されている通番と、レース番号と、枠番と、かけ金を読み出し、集計装置に通知する。該集計装置は、入力されたデータから当該馬券が当たり馬券であることを確認すると、お客が申し込んだ金額にオッズを乗算した金額を計算し、その合計金額を現金払い戻し機からお客に払い戻す。』とある。
【０００６】
現在運用されている投票券払戻機（現金払い戻し機）は的中投票券の処理が終わった後は、廃券パンチにより廃券処理が行われ、廃券スタッカへと収容されている。
【０００７】
【発明が解決しようとする課題】
特願平０８−２８３８７９号によって発行された出目による投票券を現在運用されている投票券払戻機にて払い戻すには、投票券面上に印刷されたレースが全て終了した後のタイミングでしか行うことができなかった。なぜならば、もし投票券面上に印刷されたレースが全て終了する前に投票券払戻機にて払い戻し処理をさせると、不的中であればそのままお客の手元に投票券が排出されるので問題はないが、的中していると現在運用されている投票券払戻機は的中処理が終わった投票券をパンチングによって廃券処理して投票券払戻機内に蓄えるため、お客の手元に投票券が戻ってこない。確定していないレースが残っていたとしても一度的中処理が行われた投票券は二度とお客の手元には戻ってこない。
【０００８】
従って、出目による投票券をそのまま現在運用されている投票券払戻機にて払い戻し処理させるには、投票券面上に印刷されたレースが全て終了した後のタイミングでしか行うことができない。
しかしお客によってはレースの的中によって発生した払戻金を次のレースのための購入資金に充てたいとの要求があり、自由なタイミングで払い戻しを行いたいというお客からの要望に対処できない。
【０００９】
また仮に廃券処理が行われた投票券をお客側に排出し、且つその投票券が以降レースの払い戻しが可能であったとしても、お客側からしてみると、どのレースまでを払い戻したのかが券面上から認識することができず、誤って二重払い戻しを起こす可能性がある。これは主催者とお客とのトラブルの元となることが予想される。
【００１０】
従って、本発明では、同一の購入条件を複数レースにわたって指定した投票券を、自由なタイミングで払い戻し可能とすることを第１の目的とするものである。
また、本発明では、同一の購入条件を複数レースにわたって指定した投票券を途中払い戻ししたときにどのレースまで払い戻しを行ったことを視覚的に表現することを第２の目的とするものである
また、本発明では、同一の購入条件を複数レースにわたって指定した投票券を、複数回投票券払戻機に読み取らせることを可能とすることを第３の目的とするものである。
【００１１】
【課題を解決するための手段】
本発明の請求項１は、同一の購入条件を複数レースにわたって指定した投票情報を有する投票券の払い戻し処理を行う投票券払戻機において、
前記投票情報を読み取る読み取り手段と、
提供された払い戻し情報を基に、該読み取った投票情報中の払い戻し処理が可能なレースのみ払い戻し処理を行う手段と、
払い戻し処理済レースを示す可視情報を前記投票券上のレース番号に関連付けて付与する手段と、
該可視情報が付与された投票券を発行する発行口と、
を有することを特徴とする投票券払戻機である。
【００１２】
つまり、本発明の請求項１によれば、同一の購入条件を複数レースにわたって指定した投票情報を有する投票券を投票券払戻機に挿入すると、払い戻し可能なレースについてのみ払い戻し金の払い出しを含めて払い戻し処理を行い、払い戻し処理不可のレースについては投票券面上にそれが表記されるようにして投票券が再び投票券払戻機から排出される。
【００１３】
よって、投票券面上に印刷されたレースが全て終了（確定）しなくても途中で投票券の払い戻し処理を実現することが可能となり、且つ投票券面上にも未払い戻し処理レースを示す情報を表記するため、どのレースまで払い戻し処理が行われたかがお客は一目瞭然に認識することができる。
また、本発明の請求項２は、前記可視情報を読み取る手段と、
当該可視情報が関連付けられたレースに対する払い戻し処理をキャンセルする手段と、
を備えたことを特徴とする請求項１記載の投票券払戻機である。
【００１４】
つまり、本発明の請求項２によれば、一度払い戻し処理を行ったレースについては二度と払い戻し処理が行われなくなるので、二重払い戻し事故を防止することができる。
また、本発明の請求項３は、減算処理時に投票券が挿入される減算口を有する投票券発売機において、
同一の購入条件を複数レースにわたって指定した投票情報を有する投票券が挿入される前記減算口と、
該減算口から挿入された該投票券の投票情報を読み取る手段と、
提供された払い戻し情報を基に、該読み取った投票情報中の払い戻しが可能なレースのみ払い戻し処理を行う手段と、
該同一の購入条件を複数レースにわたって指定した投票情報を有する新規投票券を作成する手段と、
該新規投票券の作成時に該新規投票券上のレース番号に払い戻し処理済レースを示す可視情報を関連付けて付与する手段と、
該可視情報が付与された投票券を発行する発行口と、
を有することを特徴とする投票券発売機である。
【００１５】
つまり、本発明の請求項３によれば、同一の購入条件を複数レースにわたって指定した投票情報を有する投票券を、減算処理を行う減算口を有する投票券発売機に挿入すると、払い戻し可能なレースのみ払い戻し金の払い出しを含めて払い戻し処理が行われる。
次に、新規投票券として作り直し、且つその作成時に払い戻し処理済レースを示す可視情報も合わせて付与される。
【００１６】
よって、減算機能を有する投票券発売機を利用して、投票券面上に印刷されたレースが全て終了（確定）しなくても途中で投票券の払い戻し処理を実現することが可能となり、且つ投票券面上にも未払い戻し処理レースとして表記するため、どのレースまで払い戻し処理が行われたかがお客は一目瞭然に認識することができる。
【００１７】
さらに、請求項３では、可視情報を印刷する際に新規な投票券の作成時に合わせて印刷するようにしており、可視情報の追加印刷があたかも新規投票券作成時の一つのステップとして関連付けることができるため、投票券上に可視情報を印刷するとの印刷位置ズレが発生しない。
また、本発明の請求項４は、前記可視情報を読み取る手段と、
当該可視情報が関連付けられたレースに対する払い戻し処理をキャンセルする手段と、
を備えたことを特徴とする請求項３記載の投票券発売機である。
【００１８】
つまり、本発明の請求項４によれば、一度払い戻し処理を行ったレースについては二度と払い戻し処理が行われなくなるので、二重払い戻し事故を防止することができる。
また、本発明の請求項５は、減算処理時に投票券が挿入される減算口を有する投票券発売機において、
同一の購入条件を複数レースにわたって指定した投票情報を有する投票券が挿入される前記減算口と、
該減算口から挿入された該投票券の投票情報を読み取る手段と、
提供された払い戻し情報を基に、該読み取った投票情報中の払い戻しが可能なレース番号のみを有する投票券を発行すると共に、該読み取った投票情報中の払い戻しが不可なレース番号のみを有する投票券を発行する手段と、
を備えたことを特徴とする投票券発売機である。
【００１９】
つまり、本発明の請求項５によれば、減算機能を有する投票券発売機が払い戻し機能を有していなくとも、払い戻し処理可能レースと払い戻し処理不可能レースとをそれぞれ別けて二種類の投票券を発行することにより、減算機能を有する投票券発売機を利用して、投票券面上に印刷されたレースが全て終了（確定）しなくても途中で投票券の払い戻し処理のための行為を実現することが可能となり、且つどのレースまで払い戻し処理を行うことが可能なのかがお客は一目瞭然に認識することができる。
【００２０】
【発明の実施の形態】
以下、本発明の実施の形態を図面を用いて詳細に説明する。
なお、図において、同一符号を付したものは同一対象物をそれぞれ示すものである。
まず本発明の第１の実施の形態として投票券払戻機について図１を用いて説明する。図１は本発明の投票券払戻機の装置ブロック図である。投票券払戻機３０は、投票券の払い戻し処理を行う処理装置である。投票券３１は同一の購入条件を複数レースにわたって指定した投票情報を有する、つまり図１５に示すような１Ｒから８Ｒまで１−２を１００円、８−８を２００円購入した出目投票を行った複数レース流し投票券である。
【００２１】
投入口３２は投票券３１の挿入口となるものである。搬送路３３は投票券３１を排出口側へと搬送するものである。券面情報読取部３４は、投票券３１の表面に印刷された投票情報を光学的に読み取るものである。
消し込みマーク印刷部３５は、投票券に印刷された全レースについての払い戻し処理を行うことができない、途中払い戻し処理の場合に、払い戻し処理が済んだレースに関してのみそのレース番号に重畳して消し線印刷や網点印刷を施すものである。
【００２２】
投票券ストッパ３７は、投票券３１が途中払い戻し処理の場合に、投票券３１に消し込みマーク印刷部３５で消し込みマークを印刷するまでの間、その投票券３１を搬送路３３上に停止させるためのものである。また、廃券パンチ３６による穴あけ処理を行う場合に投票券３１を搬送路３３上に停止するときにも動作する。
【００２３】
廃券パンチ３６は、投票券３１を排出口３９へと排出する必要がない場合に、投票券３１の所定箇所に穴あけ処理を行うものである。廃券スタッカ３８は廃券パンチ３６による穴あけ処理が済んだ投票券を投票券払戻機３０の外部に排出することなく、その装置内に貯蔵するためのものである。排出口３９は消し込みマークが印刷された投票券を投票券払戻機３０の外部に排出するためのものである。４１は払戻金ユニットであり、的中の際に購入金額とオッズに応じた払戻金を排出する部分である。
【００２４】
制御部１は投票券払戻機３０に搭載される各種ユニットの制御を行うものであり、且つセンタ４０と通信回線を介して接続され、投票券払戻機３０とセンタ４０との間での信号のやり取りを行うものである。
この制御部１の内部構成について図２を用いて説明する。図２は制御部１の内部構成ブロック図である。ＲＯＭ３は投票券払戻機３０を動作させるにあたっての動作プログラムが書き込まれた読み取り専用メモリである。ＲＡＭ４は作業用メモリであり、投票券３１から読み取った情報を一時的に格納する読み取り書き込み可能メモリである。
【００２５】
その他、消し込みマークのパターンが記憶されている。ＭＰＵ２は制御部１を構成する各種ユニットの制御を行うものであり、具体的には、お客に対して投票券の払戻状況を表示するためのディスプレイを制御したり、券面情報読取部３４を制御したりする。
さらに、ＭＰＵ２は、投票券３１面上に投票情報を視覚的に印刷したり、払い戻し処理済レースであることを示す消し線印刷や網点印刷を投票券３１上の払い戻し処理済レース番号に重畳して印刷したりする印刷ユニット３５の制御を行ったり、払い戻し処理によって投票券に的中情報が存在したときにお客に対して的中情報に購入金額およびオッズを乗算した結果を現金で排出する払戻金ユニット４１を制御する。
【００２６】
インターフェース５は投票券払戻機３０とセンタ４０との通信を行う際の中継を行うものであり、センタ４０からの例えば払い戻し情報や競走除外による返還情報等はここを経由して送られてくる。また、投票券払戻機３０のセンタ４０に対する問い合わせ等もこのインターフェース５を経由して送出される。
払戻情報格納テーブル６は、レース毎の払戻情報を格納するテーブルであって、一例として図３に示すように、レース単位に払戻状況と的中情報およびオッズが格納されている。図３の例では１Ｒから４Ｒはレースが確定しているため１Ｒから４Ｒまで払い戻し処理が可能であることを示し、５Ｒ以降はレースが確定していないため払い戻し処理が不可能であることを示している。なお、この払戻情報格納テーブル６に格納される情報はセンタ４０から適宜のタイミングで取り込まれた結果である。
【００２７】
次に投票券払戻機３０の処理動作について図４を用いて説明する。
投票券払戻機３０に投票券３１を投入口３２から投入する（ステップＳ１）。券面情報読取部３４により投票券３１に印刷されている投票情報、つまり開催場名として『東京』が、式別として『レース流し』が、レース番号として『１Ｒから８Ｒ』が、購入組番として『１−２』と『８−８』が、購入金額として『１００円』と『２００円』が、そのほか図示しない通し番号等が光学的に読み取られ（ステップＳ２）、その後、投票券ストッパ３７を動作させ、搬送路３３上の消し込みマーク印刷部３５の印刷位置に投票券３１が停止するよう制御する（ステップＳ３）。
【００２８】
投入された投票券３１に消し込みマークが有るか無いかの判断が行われる（ステップＳ４）。もし、消し込みマークが有れば、該当レースに関する払い戻し処理をスキップすることで、二重払い戻し処理を防止する（ステップＳ５）。つまり、図５にて示される投票券がもし投票券払戻機３０に投入されたのであれば、投票券上に消し込みマーク７ａ，７ｂ，７ｃ，７ｄが重畳して印刷されているレース番号１Ｒから４Ｒについては払い戻し処理が行われない。
【００２９】
投票券に消し込みマークがなく、或いは二重払い戻し処理防止のためのスキップ処理が行われていれば、投票券払戻機３０内の払戻情報格納テーブル６から払戻情報を取り込む（ステップＳ６）。この取り込まれる払戻情報は、図３に示すように１Ｒから４レースまで払い戻し処理が可能であること、および各レースの的中情報とオッズである。また、５Ｒ以降は払い戻し不可能という情報も当該テーブル６から取り込んでもよいが、払戻可能なレース番号のみを取り込むことで、取り込まれなかったレース番号は自動的に払戻不可能レースとして見なすと処理してもよい。
【００３０】
次に投票券３１にて指定されるレース単位に払い戻し処理が行われる。払い戻し処理において、レース確定済かどうか、取り込んだ的中情報を参考に的中しているか、もし的中していれば購入金額とオッズとの乗算を行って払い戻し金がいくらになるか等の処理が行われる（ステップＳ７）。本例では、１Ｒについての払い戻し処理がまず行われ、取り込んだ的中情報により１−２が的中しているため、購入金額である１００円とオッズである５．０との乗算が行われ、的中金額が５００円となる。
【００３１】
続いて、その投票券３１についてその他の払い戻し可能レースがあるか否かの判断が行われる（ステップＳ９）。取り込んだ払戻状況は４Ｒまで払い戻し処理可能であるため、２Ｒについての払い戻し処理終了後、３Ｒへ、その後４Ｒへと払い戻し処理がレース単位にそれぞれ行われる。レース単位に払い戻し処理が行われた後、的中していればそれにより得られる払い戻し金額が、的中していなければ０円が累計処理される（ステップＳ８）。本例では１Ｒから４Ｒの払い戻し処理の結果、累計値は１Ｒに関しての的中情報のみである５００円となる。
【００３２】
次に、払い戻し処理を行ったレースが全て不的中か否かの判断が行われる（ステップＳ１０）。もし、払い戻し処理を行ったレースか全て不的中であれば、ステップＳ１１へ移行し、投票券３１から読み取った全レースについて払い戻し処理が済みであるかの判断が行われる。もし、全レース処理済であれば、その投票券３１に関しての判断が終了し（全て不的中）、投票券払戻機３０からお客側へと投票券３１排出し（ステップＳ１８）、処理が終了する。もし全レース処理済でなければ、ステップＳ１６へとその処理が移行する。
【００３３】
本例ではステップＳ１０の判断において、１Ｒが的中しているためステップＳ１１へと処理が移行せず、１Ｒから４Ｒまでの累計情報である５００円が読み出され（ステップＳ１２）、投票券払戻機３０からお客側へと現金５００円が排出される（ステップＳ１３）。
その後、投票券から読み取った全レースについて払い戻し処理が済みであるかの判断が行われる（ステップＳ１４）。もし、全レース処理済であれば、その投票券についての処理が全て終了したものと判断し、投票券払戻機３０にて廃券パンチ３６による廃券処理が行われ（ステップＳ１５）、廃券スタッカ３８に収納される。
【００３４】
本例では、１Ｒから８Ｒまで購入した投票券３１のうち、１Ｒから４Ｒまで払い戻し処理は行われたが、５Ｒ以降はまだレースが確定していないため払い戻し処理が行われていない。従って、全レース処理済ではないのでステップＳ１５の廃券処理は行われない。
払い戻し金の排出後の判断ステップＳ１４にて投票券から読み取った全レースについての払い戻し処理が済みではないので、次にＲＡＭ４から消し込みマークのパターンを読み出す（ステップＳ１６）。この消し込みマークのパターンが格納されている格納先はＲＡＭ４に限定されるものではなく、その他の専用の記憶部であってもよい。
【００３５】
消し込みマークのパターンが読み出された後、払い戻し処理が終わっていないレース番号上に、その消し込みマークを消し込みマーク印刷部３５にて重畳印刷する（ステップＳ１７）。搬送路３３上に停止された投票券３１は消し込みマーク印刷部３５の印刷位置にあるので、未払い戻し処理レースのレース番号に消し込みマークが重畳されるように図示しない印字ヘッドを位置合わせしたのち、熱転写方式によって図５に示す投票券３１上のレース番号１Ｒ〜４Ｒに可視情報として消し込みマーク７ａ〜７ｄがそれぞれ重畳印刷される。消し込みマークが印刷された投票券３１は投票券払戻機３０からお客側へと排出される（ステップＳ１８）。
【００３６】
以上のようにして、同一の購入条件を複数レースにわたって指定した投票情報を有する投票券を、その日のレースが全て確定する前に払い戻し処理のため投票券払戻機に投入したとしても、投票券面上に可視情報として印刷される消し込みマークによりどこまで払い戻し処理が済んだのかが識別することができるため再び投票券払戻機に投入することも可能である。
【００３７】
第１の実施の形態では可視情報として消し込みマークを用い、それを払い戻し処理済レースに重畳印刷するとして説明したが、消し込みマークに限らず本来投票券払戻機が備えている機構、廃券パンチを利用した穴あけによってもお客に対して払い戻し処理済レースの通知を行うことができる。
図６は第１の実施の形態の変形例を示し、可視情報として穴あけを用いた投票券払戻機を示す図である。この投票券払戻機５０も投票情報が印刷された投票券を光学的に読み取るタイプの処理装置である。図７は図６に示される投票券払戻機の処理動作を示し、図８は可視情報として廃券パンチによる穴あけが施された投票券を示す図である。
【００３８】
投票券３１は図１５に示すような出目投票を行った複数レース流し投票券である。投入口３２は投票券３１の挿入口であり、搬送路３３は投票券３１を排出口側へと搬送するものである。券面情報読取部３４は、投票券３１の表面に印刷された投票情報を光学的に読み取るものである。
投票券券端検出用フォト５２は図８に示す投票券３１の券端Ｅを検出するものであり、券搬送パルスモータ５３は投票券券端検出用フォト５２により投票券の券端Ｅからレース番号までの距離分だけ投票券を搬送させる。廃券パンチ３６は払い戻し処理が終わった投票券に対して穴あけ処理を行うものである。廃券スタッカ３８は廃券パンチ３６による穴あけ処理が済んだ投票券を投票券払戻機３０の外部に排出することなく、その装置内に貯蔵するためのものである。排出口３９は消し込みマークが印刷された投票券を投票券払戻機３０の外部に排出するためのものである。４１は払戻金ユニットであり、的中の際に購入金額とオッズに応じた払戻金を排出する部分である。
【００３９】
制御部５１は投票券払戻機５０に搭載される各種ユニットの制御を行うものであり、図２の内部ブロック図と同様のハード構成を有し、且つ制御部５１は図３に示すような払戻情報格納テーブル６も備えている。
次に投票券払戻機５０の処理動作について図７を用いて説明する。
投票券払戻機３０に投票券３１を投入口３２から投入する（ステップＳ１）。券面情報読取部３４により投票券３１に印刷されている投票情報、つまり開催場名として『東京』が、式別として『レース流し』が、レース番号として『１Ｒから８Ｒ』が、購入組番として『１−２』と『８−８』が、購入金額として『１００円』と『２００円』が、そのほか図示しない通し番号等が光学的に読み取られる（ステップＳ２）。
【００４０】
投入された投票券３１にパンチ穴が有るか無いかの判断が行われる（ステップＳ２００）。もし、パンチ穴が有れば、該当レースに関する払い戻し処理をスキップすることで、二重払い戻し処理を防止する（ステップＳ５）。つまり、図８にて示される投票券が投票券払戻機５０に投入されたのであれば、投票券のレース番号の上にパンチ穴７ｅ，７ｆ，７ｇ，７ｈがあけられているレース番号１Ｒから４Ｒについては払い戻し処理が行われない。
【００４１】
投票券にパンチ穴がなく、或いは二重払い戻し処理防止のためのスキップ処理が行われていれば、投票券払戻機５０内の払戻情報格納テーブル６から払戻情報を取り込む（ステップＳ６）。この取り込まれる払戻情報は、図３に示すように１Ｒから４レースまで払い戻し処理が可能であること、および各レースの的中情報とオッズである。また、５Ｒ以降は払い戻し不可能という情報も当該テーブル６から取り込んでもよいが、払戻可能なレース番号のみを取り込むことで、取り込まれなかったレース番号は自動的に払戻不可能レースとして見なすと処理してもよい。
【００４２】
次に投票券３１にて指定されるレース単位に払い戻し処理が行われる。払い戻し処理において、レース確定済かどうか、取り込んだ的中情報を参考に的中しているか、もし的中していれば購入金額とオッズとの乗算を行って払い戻し金がいくらになるか等の処理が行われる（ステップＳ７）。本例では、１Ｒについての払い戻し処理がまず行われ、取り込んだ的中情報により１−２が的中しているため、購入金額である１００円とオッズである５．０との乗算が行われ、的中金額が５００円となる。
【００４３】
続いて、その投票券３１についてその他の払い戻し可能レースがあるか否かの判断が行われる（ステップＳ９）。取り込んだ払戻状況は４Ｒまで払い戻し処理可能であるため、２Ｒについての払い戻し処理終了後、３Ｒへ、その後４Ｒへと払い戻し処理がレース単位にそれぞれ行われる。レース単位に払い戻し処理が行われた後、的中していればそれにより得られる払い戻し金額が、的中していなければ０円が累計処理される（ステップＳ８）。本例では１Ｒから４Ｒの払い戻し処理の結果、累計値は１Ｒに関する的中情報のみである５００円となる。
【００４４】
次に、払い戻し処理を行ったレースが全て不的中か否かの判断が行われる（ステップＳ１０）。もし、払い戻し処理を行ったレースか全て不的中であれば、ステップＳ１１へ移行し、投票券３１から読み取った全レースについて払い戻し処理が済みであるかの判断が行われる。もし、全レース処理済であれば、その投票券３１に関しての判断が終了し（全て不的中）、投票券払戻機５０からお客側へと投票券３１を排出し（ステップＳ１８）、処理が終了する。もし全レース処理済でなければ、ステップＳ２０１へとその処理が移行する。
【００４５】
本例ではステップＳ１０の判断において、１Ｒが的中しているためステップＳ１１へと処理が移行せず、１Ｒから４Ｒまでの累計情報である５００円が読み出され（ステップＳ１２）、投票券払戻機５０からお客側へと現金５００円が排出される（ステップＳ１３）。
その後、投票券から読み取った全レースについて払い戻し処理が済みであるかの判断が行われる（ステップＳ１４）。もし、全レース処理済であれば、その投票券についての処理が全て終了したものと判断し、投票券払戻機５０にて廃券パンチ３６による廃券処理が行われ（ステップＳ１５）、廃券スタッカ３８に収納される。
【００４６】
本例では、１Ｒから８Ｒまで購入した投票券３１のうち、１Ｒから４Ｒまで払い戻し処理は行われたが、５Ｒ以降はまだレースが確定していないため払い戻し処理が行われていない。従って、全レース処理済ではないのでステップＳ１５の廃券処理は行われない。
払い戻し金の排出後の判断ステップＳ１４にて投票券から読み取った全レースについての払い戻し処理が済みではないので、次にステップＳ２０１へと処理が移行する。ステップＳ２０１で図８に示す投票券３１の券端Ｅを検出した後、投票券券端検出用フォト５２から廃券パンチ３６までの距離に、投票券の券端Ｅからレースナンバまでの距離ｄ1 を加えた距離分だけパルスモータ５３を駆動させることで（ステップＳ２０２）、消し込みたいレースナンバの上に廃券パンチ３６が位置する。
【００４７】
次に廃券パンチ３６を駆動して投票券３１のレース番号上にパンチ穴を形成する。具体的には投票券３１の１Ｒと印刷された部分にパンチ穴７ｅが形成されてレース番号が消し込まれる。引き続き、その投票券３１に払い戻し処理済レースがその他あるかどうかの判断が行われる（ステップＳ２０４）。本例では４Ｒまで払い戻し処理が終わっているので、ステッピングモータ５３を距離ｄ21分駆動し、２Ｒと印刷された上にパンチ穴７ｆを形成してレース番号を消し込む。その後払い戻し処理が終わっているレース番号である３Ｒ，４Ｒと印刷されたところにパンチ穴７ｇ，７ｈが形成されるよう、ステッピングモータ５３を距離ｄ22分、そして距離ｄ23分駆動する。そして、それぞれにパンチ穴７ｇ，７ｈが形成されることでレース番号が消し込まれる。なお、次のレース番号の穴あけ処理を行う場合、ステッピングモータ５３は距離ｄ2n分駆動される。
【００４８】
払い戻し処理が済んだレースがなくなれば（ステップＳ２０４）、投票券３１が投票券払戻機５０からお客側へと排出される（ステップＳ１８）。
以上のようにして、同一の購入条件を複数レースにわたって指定した投票情報を有する投票券を、その日のレースが全て確定する前に払い戻し処理のため投票券払戻機に投入したとしても、投票券面上に可視情報としてレース番号をパンチ穴で消し込むことで、どこまで払い戻し処理が済んだのかが識別することができるため再び投票券払戻機に投入することも可能である。
【００４９】
この実施の形態の更なる変形として、払い戻し処理が済んだレース番号をそれぞれパンチ穴で消し込むのではなく、払い戻し処理が済んだその時点で一番最新のレース番号、例えば１Ｒから８Ｒまでの投票券を購入し、払い戻し処理がその中で４Ｒまで行われたのであれば４Ｒと印刷されたレース番号のみを消し込むことで、仮に複数レースの払い戻し処理が行われたとしてもパンチ穴の穴あけ処理が一回で済み、処理の高速化が期待できる。
【００５０】
次に本発明の第２の実施の形態として払い戻し処理機能を有する投票券発売機、いわゆる投票券発払機に適用した例を図９を用いて説明する。図９は本発明の投票券発払機の装置ブロック図である。投票券発払機９３は投票券を発売する機能と投票券の払い戻し機能を両方兼ね備えた投票券の処理装置である。
９４はロール紙である。９５はカッタであり、ロール紙９４を所定量搬送して予め定められた用紙サイズでカットすることでロール紙９４が投票券サイズとなる。投票券の表面側に位置する投票券面情報書込部９６は例えば印字ヘッドであり、この印字ヘッドによって投票情報が印刷され、投票券の裏面側に位置する投票券面情報書込部９６’は例えば磁気ヘッドであり、この磁気ヘッドによって投票情報が磁気的に書き込まれる。本発明の投票券発払機９３では投票券１０３から読み取った投票情報に加え、どのレースまで払い戻し処理が済んだかの情報が書き込まれる。９７は投票券面情報読取部であり、投票券の裏面に磁気書き込みされた投票情報を読み取るものである。９８は搬送路である。
【００５１】
投票券ストッパ１００は、廃券パンチ９９による穴あけ処理を行う場合に投票券１０３を搬送路９８上に停止するときに動作する。搬送路切替部１０１は搬送経路を廃券スタッカ１０２にするのか排出口１０６にするのかの切り替えを行うものである。
廃券パンチ９９は、投票券１０３の所定箇所に穴あけ処理を行うものである。廃券スタッカ１０２は廃券パンチ９９による穴あけ処理が済んだ投票券を投票券発払機９３の外部に排出することなく、その装置内に貯蔵するためのものである。排出口１０６は投票券１０３から読み出した投票情報に消し込みマークパターンが重畳印刷されるよう編集し直した新規投票券１０７を投票券発払機９３の外部に排出するためのものである。
【００５２】
１０４は投票券減算口であり、一度購入した投票券を購入ミス等の理由により減算処理を行いたいときの投票券の投入口である。本実施の形態においては、この投票券減算口１０４を同一の購入条件を複数レースにわたって指定した投票情報を有する投票券１０３の途中払い戻しの際の投入口として利用する。１０５は投入された投票券の第２の搬送路である。１０９は払戻金ユニットであり、的中の際に購入金額とオッズに応じた払戻金を排出する部分である。
【００５３】
制御部８０は投票券発払機９３に搭載される各種ユニットの制御を行うものであり、且つセンタ１０８と通信回線を介して接続され、投票券発払機９３とセンタ１０８との間での信号のやり取りを行うものである。
この制御部８０の内部構成について図１０を用いて説明する。図１０は制御部８０の内部構成ブロック図である。ＲＯＭ８２は投票券発払機９３を動作させるにあたっての動作プログラムが書き込まれた読み取り専用メモリである。ＲＡＭ８３は作業用メモリであり、投票券１０３から読み取った情報を一時的に格納する読み取り書き込み可能メモリである。その他、消し込みマークのパターンが記憶されている。
【００５４】
ＭＰＵ８１は制御部８０を構成する各種ユニットの制御を行うものであり、具体的には、投票券発払機９３が有している、お客に対して投票券の払戻状況や投票内容を表示するディスプレイや操作卓、その他お客が投票券購入前に前もってマークシート方式にて投票内容を記入した投票カードを読み取る読取ユニットを制御する。
【００５５】
これら以外にＭＰＵ８１は、投票券面情報書込部９６である印字ヘッドや投票券面情報書込部９６’である磁気ヘッドや投票券面情報読取部９７の動作を制御する他、投票券１０７面上に投票情報を視覚的に印刷するものであり、本発明の投票券発払機９３では投票券１０３から読み取った投票情報に、どのレースまで払い戻し処理が済んだかを示す可視情報（消し込みマーク印刷）が重畳印刷されるよう編集し直して印刷する印字ヘッドの制御を行う。印刷された投票券は運気投票券１０７として投票券発払機９３から排出される。
【００５６】
さらにＭＰＵ８１は、払い戻し処理によって投票券に的中情報が存在したときにお客に対して的中情報に購入金額およびオッズを乗算した結果を現金で排出する払戻金ユニット１０９の制御も行う。
インターフェース８４は投票券発払機９３とセンタ１０８との通信を行う際の中継となるものであり、センタ１０８からの例えば払い戻し情報や競走除外による返還情報または出走取り消し情報等はインターフェース８４を経由して送られてくる。また、投票券発払機９３のセンタ１０８に対する問い合わせ等もこのインターフェース８４を経由して送出される。
【００５７】
払戻情報格納テーブル８５は、レース毎の払戻情報を格納するテーブルであって、一例として図３に示すように、レース単位に払戻状況と的中情報およびオッズが格納されている。図３の例では１Ｒから４Ｒはレースが確定しているため１Ｒから４Ｒまで払い戻し処理が可能であることを示し、５Ｒ以降はレースが確定していないため払い戻し処理が不可能であることを示している。なお、この払戻情報格納テーブル８５に格納される情報はセンタ１０８から適宜のタイミングで取り込んだ結果である。
【００５８】
次に投票券発払機９３の処理動作について図１１を用いて説明する。
投票券発払機９３に投票券１０３を投票券減算口１０４から投入する（ステップＳ５０）。この投票券減算口１０４を利用して投票券の払い戻し処理を行わせるための投票券１０３の投入口とすることで専用の投入口を設ける必要がなく、装置のコスト安および装置の小型化を実現することができる。
【００５９】
投票券面情報読取部９７により投票券１０３上に磁気的に書き込まれている投票情報、つまり開催場名として『東京』が、式別として『レース流し』が、レース番号として『１Ｒから８Ｒ』が、購入組番として『１−２』と『８−８』が、購入金額として『１００円』と『２００円』が、そのほか図示しない通し番号等を読み取り（ステップＳ５１）、ＲＡＭ８３に記憶しておく。
【００６０】
その後、投票券ストッパ１００を動作させ、廃券パンチ９９が動作しうる位置に投票券１０３を一時停止させる（ステップＳ５２）。この投票券面情報読取部９７も投票券の減算処理時に投票券から投票情報を読み取るための使用されているものを流用する。投票券払い戻し時は投票券減算時と同じ投入口から投入され、且つ券面情報読取部まで同じルートを通るため第２の搬送路１０５も流用される。このように投票券発払機９３においては流用箇所が多く、より装置のコスト安、そして装置の小型化の実現が可能である。
【００６１】
投入された投票券１０３に消し込みマークに関する情報が存在するか否かの判断が行われる（ステップＳ５３）。消し込みマークに関する情報は、投票券１０３から読み取った磁気情報からでも、投票券１０３を光学的に読み取った結果から抽出してもよい。もし、消し込みマークが存在していれば、該当レースに関する払い戻し処理をスキップすることで、二重払い戻し処理を防止する（ステップＳ５４）。つまり、図５にて示される投票券がもし投票券発払機９３に投入されたのであれば、投票券上に消し込みマーク７ａ，７ｂ，７ｃ，７ｄが重畳して印刷されているレース番号１Ｒから４Ｒについては払い戻し処理が行われない。
【００６２】
投票券に消し込みマークに関する情報が存在しておらず、或いは二重払い戻し処理防止のためのスキップ処理が行われていれば、投票券発払機９３内の払戻情報格納テーブル８５から払戻情報を取り込む（ステップＳ５５）。この取り込まれる払戻情報は、図３に示すように１Ｒから４レースまで払い戻し処理が可能であること、および各レースの的中情報とオッズである。また、５Ｒ以降は払い戻し不可能という情報も当該テーブル８５から取り込んでもよいが、払戻可能なレース番号のみを取り込むことで、取り込まれなかったレース番号は自動的に払戻不可能レースとして見なすと処理してもよい。
【００６３】
次に投票券１０３にて指定されるレース単位に払い戻し処理が行われる。払い戻し処理において、レース確定済かどうか、取り込んだ的中情報を参考に的中しているか、もし的中していれば購入金額とオッズとの乗算を行って払い戻し金がいくらになるか等の処理が行われる（ステップＳ５６）。本例では、１Ｒについての払い戻し処理がまず行われ、取り込んだ的中情報により１−２が的中しているため、購入金額である１００円とオッズである５．０との乗算が行われ、的中金額が５００円となる。
【００６４】
続いて、その投票券１０３についてその他の払い戻し可能レースがあるか否かの判断が行われる（ステップＳ５８）。取り込んだ払戻状況は４Ｒまで払い戻し処理可能であるため、２Ｒについての払い戻し処理終了後、３Ｒへ、その後４Ｒへと払い戻し処理がレース単位にそれぞれ行われる。レース単位に払い戻し処理が行われた後、的中していればそれにより得られる払い戻し金額が、的中していなければ０円が累計処理される（ステップＳ５７）。本例では１Ｒから４Ｒの払い戻し処理の結果、累計値は１Ｒに関しての的中情報のみである５００円となる。
【００６５】
次に、払い戻し処理を行ったレースが全て不的中か否かの判断が行われる（ステップＳ５９）。もし、払い戻し処理を行ったレースか全て不的中であれば、ステップＳ６０へ移行し、投票券１０３から読み取った全レースについて払い戻し処理が済みであるかの判断が行われる。もし、全レース処理済であれば、その投票券１０３に関しての判断が終了し（全て不的中）、投票券発払機９３からお客側へと投票券１０３を排出し（ステップＳ６１）、処理が終了する。もし全レース処理済でなければ、ステップＳ６６へとその処理が移行する。
【００６６】
本例ではステップＳ５９の判断において、１Ｒが的中しているためステップＳ６０へと処理が移行せず、１Ｒから４Ｒまでの累計情報である５００円が読み出され（ステップＳ６２）、投票券発払機９３からお客側へと現金５００円が排出される（ステップＳ６３）。
その後、投票券から読み取った全レースについて払い戻し処理が済みであるかの判断が行われる（ステップＳ６４）。もし、全レース処理済であれば、その投票券についての処理が全て終了したものと判断し、投票券発払機９３にて廃券パンチ９９による廃券処理が行われ（ステップＳ６５）、搬送路切替部１０１にて搬送路の切り替えが行われたのち、穴開き済の投票券は廃券スタッカ１０２に収納される。
【００６７】
ステップＳ６０およびＳ６４において、全レース処理済でなかったとしても投票券発払機９３では投入された投票券１０３は投票券が全部不的中であったものを除き、最終的には全て廃券パンチ９９により廃券処理が行われる（ステップＳ６６）。
投票券発払機９３では投入した投票券１０３に対して印刷を施さずに、新規に投票券が作り直される。なぜならば、図１の投票券払戻機３０では投入された投票券３１に消し込みマークの位置合わせを行って重畳印刷しており、位置合わせが十分に行われたとしても印刷機構が持つガタツキにより印刷ズレが発生する恐れがあるためである。以下にその新規に作り直す投票券の作成ステップについて説明する。
【００６８】
投入した投票券１０３の廃券処理が終わったのち、ＲＡＭ８３より消し込みマークのパターンが読み出される（ステップＳ６７）。この消し込みマークのパターンが格納されている格納先はＲＡＭ８３に限定されるものではなく、その他の専用の記憶部であってもよい。同様に、ＲＡＭ８３より投票券１０３から読み出して格納された払戻開始前投票情報を読み出す（ステップＳ６８）。
【００６９】
一方、ロール紙９４をカッタ９５によって投票券サイズにカットしたのち、ＭＰＵ８１の制御に基づき、ＲＡＭ８３から読み出した消し込みマークパターンと払戻前投票情報とを編集し直し新規投票券１０７を作成する（ステップＳ６９）。つまり、払戻前投票情報の払い戻し処理を行ったレース番号に対して、消し込みマークが重畳印刷されるよう印刷パターンを編集し、投票券の表面に可視情報として投票券面書込部９６（印字ヘッド）が印刷する。投票券の裏面には払い戻し処理を行ったレースに対応付けて消し込みマークを投票券面書込部９６’（磁気ヘッド）が磁気的に書き込む。
【００７０】
新規投票券として作成された投票券１０７は、搬送路切替部１０１の切り替えによって排出口１０６を介して投票券発払機９３の外部に排出される（ステップＳ７０）。作成された新規投票券１０７は投票券面に印刷される可視情報は図５にて表示されたものとなる。
以上のようにして、同一の購入条件を複数レースにわたって指定した投票情報を有する投票券を、その日のレースが全て確定する前に払い戻し処理のため投票券払戻機に投入したとしても、投票券面上に可視情報として印刷される消し込みマークによりどこまで払い戻し処理が済んだのかが識別することができ、且つ新規投票券として投票券を作り直しているため、再び投票券払戻機に投入することも可能である。
【００７１】
特に、投票券発払機では投票券に印刷される印刷パターンである、払戻開始前投票情報に消し込みマークとが重畳されるように印刷パターンそのものを編集して編集した結果を印刷しているため、投票券払戻機のように印刷ズレが発生することもない。
第２の実施の形態として説明した投票券発払機は投票券の発売機能を有している他、払い戻し機能も有していたが、発売所と払い戻し所とを同じ場所で行うのは混雑を誘発する可能性があるため、第３の実施の形態としてその払い戻し機能を有さない投票券発売機に適用した例について説明する。
【００７２】
図１２は払い戻し機能を有さない投票券発売機の装置ブロック図を示し、図１３は払い戻し機能を有さない投票券発売機の処理動作を示す図である。
投票券発売機１１０は投票券を発売する機能と投票券の減算機能を有するが投票券の払い戻し機能を有さない処理装置である。投票券発売機１１０のハード構成は投票券発払機９３のハード構成と大部分が類似しているため、以下は相違点のみを述べ、同一構成のものはその説明を省略する。投票券発売機１１０は、同一の購入条件を複数レースにわたって指定した投票情報を有する投票券１０３を減算口１０３より投入され、図１４に示されるような払い戻し可能なレースに可視情報１４−２を付与した投票券１１２と、払い戻し不可能なレースに可視情報を付与した投票券１１３とを排出する。
【００７３】
制御部８０は投票券発売機１１０に搭載される各種ユニットの制御を行うものであり、且つセンタ１０８と通信回線を介して接続され、投票券発売機１１０とセンタ１０８との間での信号のやり取りを行うものである。
この制御部８０の内部構成も投票券発払機９３のそれと類似しており、相違点のみ述べ、同一構成のものはその説明を省略する。
【００７４】
ＲＡＭ８３は作業用メモリであり、投票券１０３から読み取った情報を一時的に格納する読み取り書き込み可能メモリである。その他、分割マークのパターンが記憶されている。
ＭＰＵ８１は、第２の実施の形態の例のときに説明した各種ユニットの制御を行うのに加え、投票券１０３から読み切った投票情報にどのレースまで払い戻し処理が可能かを示す可視情報（図中網点にて示される分割マーク印刷）が重畳印刷されるよう編集し直して投票券１１２，１１３上に印刷する印字ヘッドの制御も行う。
【００７５】
次に投票券発売機１１０の処理動作について図１０を用いて説明する。
投票券発売機１１０に投票券１０３を投票券減算口１０４から投入する（ステップＳ１００）。この投票券減算口１０４を利用して投票券１０３の投入口とすることで専用の投入口を設ける必要がなく、装置のコスト安および装置の小型化を実現することができる。
【００７６】
投票券面情報読取部９７により投票券１０３上に磁気的に書き込まれている投票情報、つまり開催場名として『東京』が、式別として『レース流し』が、レース番号として『１Ｒから８Ｒ』が、購入組番として『１−２』と『８−８』が、購入金額として『１００円』と『２００円』が、そのほか図示しない通し番号等を読み取り（ステップＳ１０１）、ＲＡＭ８３に記憶しておく。
【００７７】
その後、投票券ストッパ１００を動作させ、廃券パンチ９９が動作しうる位置に投票券１０３を一時停止させる（ステップＳ１０２）。その後投票券１０３を搬送し、廃券パンチ９９により廃券処理を行う（ステップＳ１０３）。その穴をあけられた投票券１０３は廃券スタッカ１０２に収納される。
払戻情報格納テーブル８５よりレース毎の払戻状況を示す情報、つまりレース毎に対応付けて払い戻し状況が『可』，『不可』の情報を取り込む（ステップＳ１０４）。次にＲＡＭ８３に格納されている分割マークのパターンを読み出す。この分割マークは図１４の網点１４−１や１４−２で示されるパターンであり、パターンそもものを持たずともコードで記憶しておき、後に展開してパターンを作成してもよい。
【００７８】
次にテーブルより取り込んだ払い戻し状況を示す情報を用い、投票券１０３から読み取ったレースの中で払い戻し中のレースが投票券の表面に可視的に印刷される投票券１１２を作成する（ステップＳ１０６）。投票券１１２の作成はロール紙９４をカッタ９５により投票券サイズにカットし、カットされた投票券サイズの用紙の表面に印字ヘッドにより印刷パターンを印刷し（ステップＳ１０７）、裏面に磁気ヘッドにより磁気情報が書き込まれる。
【００７９】
この印刷パターンは投票券１０３から読み取った投票情報のレース番号に分割マークが重畳印刷されるような印刷パターンを編集し直したものであり、よってレース番号に分割マークがずれた状態で印刷されることはない。その後、ステップＳ１０８として払戻中投票券１１２を投票券発売機１１０の排出口１０６から発券する。この投票券１１２は図１４に示すように１Ｒから４Ｒまで分割マークである網点１４−２が印刷されているため、１Ｒから４Ｒまで払戻中であることが投票券１１２から読み取れる。
【００８０】
続いて、テーブルより取り込んだ払い戻し状況を示す情報を用い、投票券１０３から読み取ったレースの中でまだ払い戻しが開始されていないレースが投票券に印刷される投票券１１３を作成する（ステップＳ１０９）。投票券１１３の作成はロール紙９４をカッタ９５により投票券サイズにカットし、カットされた投票券サイズの用紙の表面に印字ヘッドにより印刷パターンを印刷し（ステップＳ１１０）、裏面に磁気ヘッドにより磁気情報が書き込まれる。
【００８１】
この印刷パターンは投票券１１２と同様に投票券１０３から読み取った投票情報のレース番号に分割マークが重畳印刷されるような印刷パターンを編集し直したものであり、よってレース番号に分割マークがずれた状態で印刷されることはない。その後、ステップＳ１１１として払戻開始前投票券１１３を投票券発売機１１０の排出口１０６から発券する。この投票券１１３は図１４に示すように５Ｒから８Ｒまで分割マークである網点１４−１が印刷されているため、５Ｒから８Ｒまで払戻開始前であることが投票券１１３から読み取れる。
【００８２】
このように発券された払い戻し中のレースを示す投票券１１２を発売所と別の場所に設置された投票券払戻機に投入し、その分割マークが印刷されたレースに対してのみ払い戻し処理の対象として払い戻し処理を行うことにより、その投票券が的中しているならば購入金額とオッズに応じた払戻金をお客は手にすることができる。
【００８３】
以上のように投票券面上に払い戻し中のレースを示す投票券と、払い戻し開始前のレースを示す投票券とを２枚に分割して発券することで、払い戻しの状況を容易に識別することができる。また、投票券発払機と同様に印刷パターンを編集し直した結果の印刷パターンを作成してそれを投票券に印刷しているため、レース番号に分割マークを印刷するときに印刷ズレが発生することもない。
【００８４】
【発明の効果】
以上のように本発明によれば、同一の購入条件を複数レースにわたって指定した投票情報を有する投票券について、その投票券に記載されたレースが全て払い戻し中にない状態での途中払い戻しが可能となり、またお客に対して払い戻しの状況を容易に伝えることができる。従って、お客に対するサービスの向上が可能で主催者からみても売り上げの増加を期待できる。
【００８５】
さらに、投票券発払機および投票券発売機においては、途中払い戻しを行うために特別な部品の追加を必要とせず、装置のコスト安や装置の小型化も期待できる。
また途中払い戻し時の二重払い戻しについての対策も嵩じている為、お客とのトラブル減少も期待できる。
【図面の簡単な説明】
【図１】本発明の投票券払戻機の装置ブロック図である。
【図２】図１における制御部の内部構成ブロック図である。
【図３】払戻情報格納テーブルのデータ格納状態の一例を示す図である。
【図４】投票券払戻機の処理動作を示す図である。
【図５】払い戻し処理が行われた投票券を示す図である。
【図６】第１の実施の形態の変形例を示す投票券払戻機の装置ブロック図である。
【図７】第６における投票券払戻機の処理動作を示す図である。
【図８】図６の投票券払戻機による払い戻し処理が行われた投票券を示す図である。
【図９】本発明の投票券発払機の装置ブロック図である。
【図１０】図９における制御部の内部構成ブロック図である。
【図１１】投票券発払機の処理動作を示す図である。
【図１２】本発明の投票券発売機の装置ブロック図である。
【図１３】投票券発売機の処理動作を示す図である。
【図１４】分割投票券を示す図である。
【図１５】出目投票による投票券を示す図である。
【符号の説明】
１０  払戻情報格納テーブル
３０  投票券払戻機
９３  投票券発払機
１１０  投票券発売機
【図１】
0003744182.tif 000002
【図２】
0003744182.tif 000003
【図３】
0003744182.tif 000004
【図４】
0003744182.tif 000005
【図５】
0003744182.tif 000006
【図６】
0003744182.tif 000007
【図７】
0003744182.tif 000008
【図８】
0003744182.tif 000009
【図９】
0003744182.tif 000010
【図１０】
0003744182.tif 000011
【図１１】
0003744182.tif 000012
【図１２】
0003744182.tif 000013
【図１３】
0003744182.tif 000014
【図１４】
0003744182.tif 000015
【図１５】
0003744182.tif 000016